(57)【要約】【課題】      厚み方向に向かう繊維を有する布帛を用いて通気性を改善した釣り用ウエ−ダを提供すること。【解決手段】  長靴部分１と長靴部分１の上側に固定された胴部２が一体的に形成され、長靴部分１は防水性を有する柔軟性を有する材料で形成されている。  胴部２の表生地はナイロン織布等で透湿性を有する防水素材で形成されて腰回りは内側に折り返し部２ａが折り返されている。  胴部２の表生地の内側には裏材胴部６が内装され、裏材胴部６は細い繊維束で網目状の薄い布帛９と厚み方向に向かう繊維を有する布帛１０で形成され、布帛１０は上下に間隙をおいて細い繊維束で網目が形成された表側網部１０ａと裏側網部１０ｂとこの間隙を厚み方向に向かう繊維１１はモノフェラメントからなり、この繊維１１が湾曲状に形成されて表裏の網部１０ａ、１０ｂ間に介在する。【選択図】        図１
2005087611.tif 000002
【特許請求の範囲】
【請求項１】
少なくとも裏材の一部に、厚み方向に向かう繊維を有する布帛を用いたことを特徴とする釣り用ウエ−ダ。
【請求項２】
前記布帛は、表側と裏側に網部を有し、前記表側と裏側の網部を間隙を持って連結する厚み方向へ向かう繊維を有することを特徴とする請求項１記載の釣り用ウエ−ダ。
【請求項３】
前記布帛は、厚み方向に向かう繊維を有する不織布であることを特徴とする請求項１記載の釣り用ウエ−ダ。
【請求項４】
前記厚み方向に向かう繊維は湾曲状に形成されていることを特徴とする請求項１乃至３記載の釣り用ウエ−ダ。
【発明の詳細な説明】
【技術分野】
【０００１】
本発明は、通気性を改善した釣り用ウエ−ダの改良に関する。
【背景技術】
【０００２】
従来の釣り用ウエ−ダは、釣り用の胴長靴とも呼ばれるもので、表生地はナイロン、裏面はポリ塩化ビニ−ルコ−ティングした防水素材等を用いている。
したがって防水性は高いが、通気性が無い為、ムレやすい。
従来例えば特許文献１のように、内側に薄い平面メッシュ材を取り付けた長靴がある。
しかし、表生地はナイロン、裏面はポリ塩化ビニ−ルコ−ティングした防水素材で内側の裏に薄い平面メッシュ材を取り付けても、裏面がベトついている為、薄い平面メッシュ材が裏面に密着し、この状態で水中に入るので、水圧で足と表生地・メッシュ材が密着し、間に残空間が無くなり、通気性が無くなり、特に夏場には汗が溜りムレる。
従来の釣り用ウエ−ダで、内側に平面メッシュ材が全面に縫製されていると、表生地に孔があいたり裂けて水漏れ修理する時、メッシュ材を切らないと修理ができない欠点があった。
【特許文献１】実開昭５９−２００８１号
【発明の開示】
【発明が解決しようとする課題】
【０００３】
解決しようとする問題点は、防水素材の内側に薄いメッシュ材を取り付けただけでは特に夏場には汗が溜りムレることである。
【０００４】
本発明の目的は前記欠点に鑑み、厚み方向に向かう繊維を有する布帛を用いて通気性を改善した釣り用ウエ−ダを提供することである。
【課題を解決するための手段】
【０００５】
本発明の請求項１は、少なくとも裏材の一部に、厚み方向に向かう繊維を有する布帛を用いたことを要旨とするものである。
本発明の請求項２は、前記布帛は、表側と裏側に網部を有し、前記表側と裏側の網部を間隙を持って連結する厚み方向へ向かう繊維を有することを要旨とするものである。
本発明の請求項３は、前記布帛は、厚み方向に向かう繊維を有する不織布であることを要旨とするものである。
本発明の請求項４は、前記厚み方向に向かう繊維は湾曲状に形成されていることを要旨とするものである。
【発明の効果】
【０００６】
本発明により、厚み方向に向かう繊維を有する布帛で形成された裏材を用いているため屈曲や、水圧で身体にウエ−ダが密着しても、厚み方向に向かう繊維を有する布帛内に空間が残り、通気性がよく、歩く動作で間隙の中を空気が移動するから汗、湿気を素早く拡散して熱がこもらず蒸れが防止される。
厚み方向に向かう繊維を有する布帛内に残空間で水中での圧迫感が緩和される。
【発明を実施するための最良の形態】
【０００７】
釣り用ウエ−ダは、長靴部分１と長靴部分１の上側に固定された胴部２が一体的に形成され、長靴部分１は防水性を有する柔軟性を有する材料で形成されている。
胴部２の表生地はナイロン織布等で透湿性を有する防水素材で形成されて腰回りは内側に折り返し部２ａが折り返されている。
胴部２の表生地の内側には裏材胴部６が内装され、裏材胴部６は細い繊維束で網目状の薄い布帛９と厚み方向に向かう繊維を有する布帛１０で形成され、布帛１０は上下に間隙をおいて細い繊維束で網目が形成された表側網部１０ａと裏側網部１０ｂとこの間隙を厚み方向に向かうモノフェラメントからなる繊維１１がコイル状に形成されて埋め込まれている。
【実施例１】
【０００８】
以下、図示の実施例によって本発明を説明すると、図１は釣り用ウエ−ダの断面正面図と一部拡大断面正面図、図２は釣り用ウエ−ダの断面側面図、図３は釣り用ウエ−ダに使用した厚み方向に向かう繊維を有する布帛の拡大斜視図、図４は胴部の表生地と厚み方向に向かう繊維を有する布帛の断面側面図である。
【０００９】
釣り用ウエ−ダは長靴部分１と長靴部分１の上側に固定された胴部２が一体的に形成されている。
長靴部分１は防水性を有するゴムや合成樹脂又はこれらの発泡体などの柔軟性を有する材料で形成されている。
靴底３はフエルト等で形成されている。
【００１０】
胴部２の表生地はナイロン織布等での裏側に塩化ビニ−ル等で防水性を有するようにコ−ティングしたり非透湿性又は透湿性を有する防水素材を添設して形成されて腰回りは内側に折り返し部２ａが折り返されている。
折り返し部２ａの裏面には適宜長さの面ファスナ−４が固定されている。
胴部２の表生地の裾２ｂの内側には長靴部分１の上側が固定されている。
胴部２の表生地の裾２ｂの内側には適宜長さの面ファスナ−５が固定されている。
胴部２の表生地の内側には裏材胴部６が内装され、裏材胴部６の上側６ａに適宜長さの面ファスナ−７が固定され、裏材胴部６の裾側６ｂに適宜長さの面ファスナ−８が固定されている。
【００１１】
裏材胴部６は網目状の薄い布帛９と厚み方向に向かう繊維を有する布帛１０で形成されている。
図１、図２では、裏材胴部６の尻側を厚み方向に向かう繊維を有する布帛１０で形成し、他の裏材胴部６を網目状の薄い布帛９で形成されている。
網目状の薄い布帛９は細い繊維束で網目に形成されている。
厚み方向に向かう繊維を有する布帛１０は上下に間隙をおいて細い繊維束で網目が形成された表側網部１０ａと裏側網部１０ｂとこの間隙を厚み方向に向かう繊維１１はモノフェラメントからなり、この繊維１１が湾曲状に形成されて表裏の網部１０ａ、１０ｂ間に介在するため、表裏の網部１０ａ、１０ｂは繊維１１の弾性をもって間隙を有するように保持される。
【００１２】
厚み方向に向かう繊維を有する布帛１０が上下の細い繊維束で網目が形成された表側網部１０ａと裏側網部１０ｂと、上下の間隙を厚み方向に向かう上記湾曲状の繊維１１がコイル状に形成されていると、布帛１０のつぶれが防止され細い繊維束で網目が形成された表裏の網部１０ａ、１０ｂで汗が吸収され、厚み方向に向かう繊維１１で表裏の網部１０ａ、１０ｂの間に間隙が保持それて通気性がよく、歩く動作で間隙の中を空気が移動する。
【００１３】
胴部２の表生地の内側に裏材胴部６が内装される時は、胴部２の表生地の折り返し部２ａの裏面の面ファスナ−４に、裏材胴部６の上側６ａの面ファスナ−７が係止され、胴部２の表生地の裾２ｂの内側の面ファスナ−５に裏材胴部６の裾側６ｂの面ファスナ−８が係止される。
胴部２の表生地の内側に、裏材胴部６の上側６ａまたは裾側６ｂの何れか一方を縫着で固定してもよい。
裏材胴部６の上側６ａまたは裾側６ｂの何れか他方を面ファスナ−で係止していると、胴部２の表生地に孔が明いたり裂けて水漏れ修理する時、メッシュ材を切らずに修理することができる。
【００１４】
前記のように釣り用ウエ−ダが構成されると、厚み方向に向かう繊維を有する布帛１０で形成された裏材胴部６の部分は、間隙に厚み方向に向かうモノフェラメントからなる繊維１１がコイル状に形成されて埋め込まれているので、汗、湿気を素早く吸収・拡散して蒸れたり熱がこもったりせず、通気性がよく、歩く動作で間隙の中を空気が移動するからムレ無い。
裏材胴部６の厚み方向に向かう繊維を有する布帛１０で形成された部分は、屈曲や、水圧で身体にウエ−ダが密着しても、厚み方向に向かう繊維を有する布帛１０内に空間が残り、通気性が確保でき、ムレにくい。
厚み方向に向かう繊維を有する布帛１０内に残空間で水中での圧迫感が緩和される。
厚み方向に向かう繊維を有する布帛１０が尻側部分に取り付けられていると、腰を降ろした時クッションとして利用できる。
厚み方向に向かう繊維を有する布帛１０は多少張りがあるので、身体に装着する時、滑り易く、脱ぎ履きや、歩行もし易い。
【００１５】
前記厚み方向に向かう繊維を有する布帛１０は全体を厚み方向に向かう繊維の不織布で形成してもよい。
【産業上の利用可能性】
【００１６】
釣りのほか水の中に入ったり足元が濡れる作業全般に使用可能である。
【図面の簡単な説明】
【００１７】
【図１】釣り用ウエ−ダの断面正面図と一部拡大断面正面図である。
【図２】釣り用ウエ−ダの断面側面図である。
【図３】釣り用ウエ−ダに使用した厚み方向に向かう繊維を有する布帛の拡大斜視図である。
【図４】胴部の表生地と厚み方向に向かう繊維を有する布帛の断面側面図である。
【符号の説明】
【００１８】
２  胴部
６  裏材胴部
１０  厚み方向に向かう繊維を有する布帛
１０ａ  表側網部
１０ｂ  裏側網部
１１  厚み方向に向かう繊維
【図１】
2005087611.tif 000003
【図２】
2005087611.tif 000004
【図３】
2005087611.tif 000005
【図４】
2005087611.tif 000006